(57)【要約】      （修正有）【課題】歩行できない傷病者の下に容易に迅速に挿入でき傷病者を容易に固定でき安定した状態で搬送でき、片側１名ずつの計２名で搬送できる傷病者搬送補助具を提供する。【解決手段】平面視で幅広の楕円環状体２を形成する薄板状の傷病者搬送補助具１であって、楕円環状体の短軸方向の両側に把持用の貫通穴８を設けた。  薄板状であるため、傷病者の腰部や大腿部の下に挿入が容易に瞬時にできる。  また、楕円環状体の中央部に形成された穴部９に傷病者の臀部を嵌め込み、長軸方向で腰部及び大腿部を支持するため、搬送中の傷病者の姿勢を安定させることができる。【選択図】図１
0003204318.tif 000002
【実用新案登録請求の範囲】
【請求項１】
平面視で外周縁部が楕円形で内周縁部が円形又は楕円形からなる幅広の楕円環状体を備える薄板状の傷病者搬送補助具であって、
前記楕円環状体の短軸方向の両側に把持用の貫通穴を設けたことを特徴とする傷病者搬送補助具。
【請求項２】
平面視で２枚の幅広の半楕円状で略Ｕ字状の第一支持枠体及び第二支持枠体のそれぞれの凹部を長軸方向で対向状態とし、かつ前記第一支持枠体及び第二支持枠体のそれぞれの両端部を上下方向で重ね合せた重ね合せ部を２ケ所形成し、短軸方向の両側に形成した前記重ね合せ部に把持用の貫通穴を設けた前記楕円環状体を備え、
前記重ね合せ部の一方は締結手段により前記重ね合せ部を固定状態とし、前記重ね合せ部の他方は着脱手段により前記重ね合せ部を着脱自在としたことを特徴とする請求項１に記載の傷病者搬送補助具。
【請求項３】
平面視で２枚の幅広の半楕円状で略Ｕ字状の第一支持枠体及び第二支持枠体のそれぞれの凹部を長軸方向で対向状態とし、かつ前記第一支持枠体及び第二支持枠体のそれぞれの両端部を上下方向で重ね合せた重ね合せ部を２ケ所形成し、短軸方向の両側に形成した前記重ね合せ部に把持用の貫通穴を設けた前記楕円環状体を備え、
前記２か所の重ね合せ部はそれぞれ締結手段により固定状態とし、
前記第一支持枠体又は第二支持枠体が一方の重ね合せ部に該当する部位の第七支持片と他の部位の第八支持片とに分離されて、前記第七支持片の端部と第八支持片の端部との突合せ部に前記突合せ部を固定及び開放可能とする安全ベルト用ロック機構を設けたことを特徴とする請求項１に記載の傷病者搬送補助具。
【請求項４】
平面視で２枚の幅広の半楕円状で略Ｕ字状の第一支持枠体及び第二支持枠体のそれぞれの凹部を長軸方向で対向状態とし、かつ前記第一支持枠体及び第二支持枠体のそれぞれの両端部を上下方向で重ね合せた重ね合せ部を２ケ所形成し、短軸方向の両側に形成した前記重ね合せ部に把持用の貫通穴を設けた前記楕円環状体を備え、
前記２か所の重ね合せ部はそれぞれ締結手段により固定状態とし、
前記第一支持枠体又は第二支持枠体が一方の重ね合せ部に該当する部位の第七支持片と他の部位の第八支持片とに分離されて、前記第七支持片の端部と第八支持片の端部との突合せ部に前記突合せ部を固定及び開放可能とする掛止機構を設けたことを特徴とする請求項１に記載の傷病者搬送補助具。
【請求項５】
前記楕円環状体を構成する前記第一支持枠体及び第二支持枠体のそれぞれの１枚からなる部位の内周縁部に貼設した、前記第一支持枠体及び第二支持枠体のそれぞれの上下面を挟み、折り曲げ部が丸みを有する上下方向の断面が略コ字状の内周縁カバーと、
前記重ね合せ部の前記貫通穴の楕円環状体の外周縁部側に、締結手段又は貼設手段で固定した、前記貫通穴から楕円環状体の外周縁部側の重ね合せ部の上下面を挟み、折り曲げ部が丸みを有する上下方向の断面が略コ字状の把持手用カバーと、を備えたことを特徴とする請求項２乃至４のいずれかに記載の傷病者搬送補助具。
【請求項６】
平面視で、前記楕円環状体の短軸方向の中央部における長軸方向で、前記第一支持枠体及び第二支持枠体がそれぞれ分割され、前記分割部位に前記分割部位を連結させる半開蝶番を設けたことを特徴とする請求項２乃至５のいずれかに記載の傷病者搬送補助具。
【考案の詳細な説明】
【技術分野】
【０００１】
本考案は、腰部の痛みなどで歩行できない傷病者を搬送する傷病者搬送補助具に関する。
【背景技術】
【０００２】
特許文献１には、両サイドに取手部を有し、弾性を持った薄い略長方形状の板状ボードの３組を人体の下に挿入して片側３名ずつの６名で搬送する簡易人体搬送ボードが開示されている。
【先行技術文献】
【特許文献】
【０００３】
【特許文献１】特開２０１０−１４８５７６号公報
【考案の概要】
【考案が解決しようとする課題】
【０００４】
特許文献１の発明は、複数枚の略長方形状の板状ボードを人体の下に挿入させるため、実施例では３枚の板状ボードを挿入させるため、緊急のときに時間がかかるという問題があった。
【０００５】
また、複数枚の略長方形状の板状ボードを連結させなければ搬送中に人体を板状ボードに固定させることができずに人体が板状ボードから滑り落ちやすいという問題があった。そのため複数枚の板状ボードを紐で連結するが、この紐を通して結ぶのに時間を要し緊急のときに搬送する準備に時間がかかり過ぎるという問題があった。
【０００６】
また、複数の略長方形状の板状ボードの両端に穿穴した穴に紐を通すため、人体の荷重で板状ボードの穴の縁が紐で破損されやすく、板状ボード自体が使用不能になりやすいという問題があった。
【０００７】
また、複数枚の板状ボードを人体の下に挿入させて片側に挿入した枚数と同じ人数の搬送人を必要とするため、実施例では６名を必要とするので、例えば救急車は運転者１名と救急要員２名が乗車しているが、救急車の場合には搬送をする人員が足りないという問題があった。
【０００８】
そして、複数枚の板状ボードや、それぞれの板状ボードを連結させる複数の紐を保管しなければならず、容器に収納していなければ紐が紛失しやすく緊急の時に複数の板状ボードを連結させることができないという問題があった。そして収納する容器は幅を有するため、例えば救急車の社内に保管をする場合には、救急車の狭い車内には前記容器の保管スペースを確保しにくいという問題があった。
【０００９】
本考案はこうした問題に鑑み創案されたもので、歩行できない傷病者の下に容易に迅速に挿入でき傷病者を容易に固定でき安定した状態で搬送でき、救急車の乗員のみで搬送できる傷病者搬送補助具を提供することを課題とする。
【課題を解決するための手段】
【００１０】
請求項１に記載の傷病者搬送補助具１、１ａの考案は、平面視で外周縁部Ｏが楕円形で内周縁部Ｉが円形又は楕円形からなる幅広の楕円環状体２を備える薄板状の傷病者搬送補助具1ａであって、前記楕円環状体２の短軸方向Ｓの両側に把持用の貫通穴８を設けたことを特徴とする。
【００１１】
請求項２に記載の傷病者搬送補助具１、１ｂの考案は、請求項１において、平面視で２枚の幅広の半楕円状で略Ｕ字状の第一支持枠体４及び第二支持枠体５のそれぞれの凹部を長軸方向Ｌで対向状態とし、かつ前記第一支持枠体４及び第二支持枠体５のそれぞれの両端部を上下方向で重ね合せた重ね合せ部７を２ケ所形成し、短軸方向Ｓの両側に形成した前記重ね合せ部７に把持用の貫通穴８を設けた前記楕円環状体２を備え、前記重ね合せ部７の一方は締結手段３により前記重ね合せ部７を固定状態とし、前記重ね合せ部７の他方は着脱手段６により前記重ね合せ部７を着脱自在としたことを特徴とする。
【００１２】
請求項３に記載の傷病者搬送補助具１、１ｃの考案は、請求項１において、平面視で２枚の幅広の半楕円状で略Ｕ字状の第一支持枠体４及び第二支持枠体５のそれぞれの凹部を長軸方向Ｌで対向状態とし、かつ前記第一支持枠体４及び第二支持枠体５のそれぞれの両端部を上下方向で重ね合せた重ね合せ部７を２ケ所形成し、短軸方向Ｓの両側に形成した前記重ね合せ部７に把持用の貫通穴８を設けた前記楕円環状体２を備え、前記２か所の重ね合せ部７はそれぞれ締結手段３により固定状態とし、前記第一支持枠体４又は第二支持枠体５が一方の重ね合せ部７に該当する部位の第七支持片１５と他の部位の第八支持片１６とに分離されて、前記第七支持片１５の端部と第八支持片１６の端部との突合せ部に前記突合せ部を固定及び開放可能とする安全ベルト用ロック機構４０を設けたことを特徴とする。
【００１３】
請求項４に記載の傷病者搬送補助具１、１ｄの考案は、請求項１において、平面視で２枚の幅広の半楕円状で略Ｕ字状の第一支持枠体４及び第二支持枠体５のそれぞれの凹部を長軸方向Ｌで対向状態とし、かつ前記第一支持枠体４及び第二支持枠体５のそれぞれの両端部を上下方向で重ね合せた重ね合せ部７を２ケ所形成し、短軸方向Ｓの両側に形成した前記重ね合せ部７に把持用の貫通穴８を設けた前記楕円環状体２を備え、前記２か所の重ね合せ部７はそれぞれ締結手段３により固定状態とし、前記第一支持枠体４又は第二支持枠体５が一方の重ね合せ部７に該当する部位の第七支持片１５と他の部位の第八支持片１６とに分離されて、前記第七支持片１５の端部と第八支持片１６の端部との突合せ部に前記突合せ部を固定及び開放可能とする掛止機構５０を設けたことを特徴とする。
【００１４】
請求項５に記載の傷病者搬送補助具１の考案は、請求項２乃至４のいずれかにおいて、前記楕円環状体２を構成する前記第一支持枠体４及び第二支持枠体５のそれぞれの１枚からなる部位の内周縁部Ｉに貼設した、前記第一支持枠体４及び第二支持枠体５のそれぞれの上下面を挟み、折り曲げ部が丸みを有する上下方向の断面が略コ字状の内周縁カバー３１と、前記重ね合せ部７の前記貫通穴８の楕円環状体２の外周縁部Ｏ側に、締結手段３又は貼設手段で固定した、前記貫通穴８から楕円環状体２の外周縁部Ｏ側の重ね合せ部７の上下面を挟み、折り曲げ部が丸みを有する上下方向の断面が略コ字状の把持手用カバー３２と、を備えたことを特徴とする。
【００１５】
請求項６に記載の傷病者搬送補助具１の考案は、請求項２乃至５のいずれかにおいて、平面視で、前記楕円環状体２の短軸方向Ｓの中央部における長軸方向Ｌで、前記第一支持枠体４及び第二支持枠体５がそれぞれ分割され、前記分割部位に前記分割部位を連結させる半開蝶番１４を設けたことを特徴とする。
【考案の効果】
【００１６】
請求項１に記載の傷病者搬送補助具１は、１枚の楕円環状体２のシート状の傷病者搬送補助具１ａを傷病者Ｐの腰部Ｈや大腿部Ｔの下に挿入させるため、挿入が容易に瞬時にできる。このため緊急時に迅速に傷病者Ｐを搬送できるという効果を奏する。
【００１７】
また、楕円環状体２の中央部に形成された穴部９に傷病者Ｐの臀部Ｄを嵌め込み、楕円環状体２の長軸方向Ｌの部位で腰部Ｈ及び大腿部Ｔを支持するため、傷病者搬送補助具１で搬送中の傷病者Ｐの姿勢を安定させることができ、傷病者Ｐに無理な姿勢による負担がかかりにくいという効果を奏する。
【００１８】
また、傷病者搬送補助具１に傷病者Ｐを載せて２名で搬送できるため、傷病者Ｐの家族の手を借りなくても救急車の乗員だけで搬送できるので、迅速に搬送完了できる。
【００１９】
そして、薄板状であるため、救急車の狭い車内であっても幅の狭い隙間に業務に支障にならずに、すぐ取り出せる場所に収納できるという効果を奏する。
【００２０】
請求項２に記載の傷病者搬送補助具１、１ｂは、請求項１に記載の効果を有するとともに、把持部が板状体を重ね合せた重ね合せ部７であるので厚みが厚くなるため、傷病者Ｐを載せた傷病者搬送補助具１を把持する手が痛くなりにくく長時間にわたり把持することができる。
【００２１】
また、面ファスナー等の着脱自在な着脱手段６で第一支持枠体４と第二支持枠体５とを着脱自在としているので、重ね合わせ部７で第一支持枠体４の端部と第二支持枠体５の端部とを離隔して、どちらかの端部を先頭にして傷病者Ｐの腰部Ｈ及び大腿部Ｔの下に旋回させながら挿入すれば、傷病者Ｐの下に極めて容易に楕円環状体２を挿入させることができる。一方の端部が傷病者Ｐの下から出てきたら前記重ね合せ部７で着脱手段６により固定化させると楕円環状体２の傷病者搬送補助具１が組み上がる。
【００２２】
請求項３に記載の傷病者搬送補助具１、１ｃは、請求項１に記載の効果を有するとともに、固定及び開放可能機構として安全ベルトにも使用するロック機構４０を採用したことにより、傷病者搬送補助具１、１ｃの固定及び開放可能機構をロック状態にすると、第一支持枠体４と第二支持枠体５とをそれぞれ把持する２人の救急隊員によって搬送中に傷病者搬送補助具１、１ｃを搖動させても確実にロック状態が維持されるという効果を奏する。
【００２３】
請求項４に記載の傷病者搬送補助具１、１ｄは、請求項１に記載の効果を有するとともに、固定及び開放可能機構として掛止機構５０を採用したことにより、固定及び開放可能機構が極めてシンプルであり、容易に掛止めでき、容易に開放でき、低コストで製造できる。掛止機構５０を楕円環状体２に固設するときに、楕円環状体２の分離部分同士がお互いに引張方向の負荷がかかるように取り付ければ、傷病者搬送補助具１、１ｄの固定及び開放可能機構を掛止状態にすると、第一支持枠体４と第二支持枠体５とがそれぞれ引っ張り合って強固な掛止状態になり、把持する２人の救急隊員によって搬送中に傷病者搬送補助具１、１ｄを搖動させても確実に掛止状態が維持されるという効果を奏する。
【００２４】
請求項５に記載の傷病者搬送補助具１は、請求項１に記載の効果を有するとともに、把持手用カバー３２によって傷病者搬送補助具１を把持する２人の救急隊員の手が痛くなるのを抑制し、傷病者搬送補助具１を寝た状態の障害者Ｐの下に挿入するときや搬送中などのときに内周縁カバー３１によって傷病者Ｐの臀部Ｄや腰部Ｈに当接したときに感じる痛みを抑制するという効果を奏する。
【００２５】
請求項６に記載の傷病者搬送補助具１は、請求項１に記載の効果を有するとともに、半分に折り畳み可能であるので、救急車の内部等の奥行きが浅く幅が狭い収納場所にも容易に小さくして収納できるという効果を奏する。
【図面の簡単な説明】
【００２６】
【図１】本考案の請求項１に記載の傷病者搬送補助具の概要図で、（ａ）が平面図で、（ｂ）が正面図である。
【図２】本考案の請求項２に記載の傷病者搬送補助具の概要図で、（ａ）が平面図で、（ｂ）が正面図で、（ｃ）が底面図である。
【図３】重ね合せ部で上側に配設したＵ字状の第一支持枠体の概要図で、（ａ）が平面図で、（ｂ）が底面図である。
【図４】重ね合せ部で下側に配設したＵ字状の第二支持枠体の概要図で、（ａ）が平面図で、（ｂ）が底面図である。
【図５】本考案の請求項２に記載の傷病者搬送補助具の平面概要図で、（ａ）が着脱手段としての開閉用把持部が閉時の状態を示す図で、（ｂ）が着脱手段としての開閉用把持部が開時の状態を示す図である。
【図６】着脱手段の断面図で、（ａ）が図２（ａ）のＡ−Ａ断面図で着脱手段が面ファスナーの場合で、（ｂ）が図５（ｂ）のＢ−Ｂ断面図で着脱手段が突起部と開閉用把持部を用いた場合の説明図である。
【図７】本考案の請求項３又は４に記載の傷病者搬送補助具の概要平面図である。
【図８】本考案の請求項３に記載の傷病者搬送補助具の概要図で、（ａ）が底面図で、（ｂ）が底面図でロック機構を開放した状態を示す図である。
【図９】ロック機構の説明図である。
【図１０】図８（ａ）において、内周縁カバー及び把持手保護用カバーを取り除いた状態を示す図である。
【図１１】図８（ａ）におけるＣ−Ｃ断面を示す断面図である。
【図１２】図８（ａ）におけるＤ−Ｄ断面を示す断面図である。
【図１３】本考案の請求項４に記載の傷病者搬送補助具の概要図で、（ａ）が底面図で、（ｂ）が底面図で掛止機構を開放した状態を示す図である。
【図１４】掛止機構の開放時の状態を示す説明図で、（ａ）が平面図で、（ｂ）が正面図である。
【図１５】掛止機構の掛止時の状態を示す説明図で、（ａ）が平面図で、（ｂ）が正面図である。
【図１６】本考案の請求項６に記載の傷病者搬送補助具の概要図で、（ａ）が拡げた状態を示す平面図で、（ｂ）が折り曲げた状態を示す平面図である。
【図１７】傷病者搬送補助具を用いて傷病者を搬送する状態を示す説明図である。
【考案を実施するための形態】
【００２７】
本考案である請求項１に記載の傷病者搬送補助具１、１ａは、図１に示すように、平面視で外周縁部Ｏが楕円形で内周縁部Ｉが円形又は楕円形からなる幅広の楕円環状体２を形成する薄板状の傷病者搬送補助具１、１ａであって、前記楕円環状体２の短軸方向Ｓの両側に把持用の貫通穴８を設けている。貫通穴８の周縁部の角はＲ形状に形成している。また、図１（ｂ）に示すように薄板状であるので、寝た姿勢の傷病者Ｐの腰部Ｈや大腿部Ｔの下に容易に挿入させることができる。
【００２８】
図１（ａ）に示すように、傷病者搬送補助具１は平面視で幅広の楕円環状体２を形成している。幅は１００〜１５０ｍｍで、楕円環状体２の中央部の穴部９は臀部Ｄが嵌入できる大きさがあればよく、楕円環状体２の外周縁の長軸方向Ｌの長さは６００〜８００ｍｍの範囲で短軸方向Ｓの外周縁の長さは５００〜６５０ｍｍで、楕円環状体２を形成するように任意に設定できる。
【００２９】
傷病者搬送補助具１の形状を平面視で外周縁部Ｏが楕円形で内周縁部Ｉが円形又は楕円形からなる幅広の楕円環状体２にしたことにより、図１７に示すように中央部の穴部９に傷病者Ｐの臀部Ｄを嵌入させて、幅広の環状部位で傷病者の腰部Ｈ大部分及び大腿部Ｔを支持できるようになり、傷病者Ｐを安定した姿勢で搬送でき、寝た姿勢の傷病者Ｐに無理な姿勢をさせないので傷病者Ｐの負担を軽減させることができる。特に傷病者Ｐが骨盤骨折の場合に傷病者Ｐの傷害部位に余計な負担をかけないという効果を奏する。また、楕円環状体２を幅広にしたことにより、楕円環状体２の腰部Ｈ側が背中の一部も支えることができ、傷病者Ｐを安定した状態で搬送することができる。
【００３０】
前記把持用の貫通穴８の形体や大きさは、図１（ａ）に示すように、手の平が挿入でき、前記貫通穴８の外側の縁部を握ることができる大きさであればよい。例えば、図１（ａ）に示すように貫通穴８は四隅にＲ形状を形成した長方形状の穴でもよい。
【００３１】
前記楕円環状体２の厚みは板厚１．５〜３ｍｍの薄板状であって、前記楕円環状体２の材質は、傷病者搬送補助具１を持ち運びしやすくするために軽量化を必要とし、重い体重の傷病者の搬送に使用しても破損しにくくするための強度を必要とし、繰り返し長期間使用しても破損しにくくするための耐久性を必要とし、傷病者Ｐの身体に沿って変形させるために弾性体であることを必要とするため、軽量、強度及び耐久性を有する弾性体の樹脂がよく、例えば、ポリプロピレン樹脂、ポリエチレン樹脂、ナイロン６又はナイロン１２などがある。これらの弾性体の樹脂からなる楕円環状体２は、衣服を着用し仰臥状態の傷病者Ｐの腰部Ｈや大腿部Ｔの下に容易に挿入できる。
【００３２】
前記傷病者搬送補助具１の外周縁部Ｏ及び内周縁部Ｉの角はＲ形状を形成させて、仰臥した傷病者Ｐの下への挿入時に滑りやすく、傷病者搬送補助具１の使用者が切創しにくくしている。
【００３３】
次に、請求項２に記載の傷病者搬送補助具１、１ｂは、図２に示すように、前記楕円環状体２は、２枚の平面視で幅広の半楕円状で略Ｕ字状の第一支持枠体４及び第二支持枠体５のそれぞれの凹部を長軸方向で対向させて、かつ前記第一支持枠体４及び第二支持枠体５のそれぞれの両端部を上下方向で重ね合せて２ケ所の重ね合せ部７を形成し、前記重ね合せ部７の一方は締結手段３で前記第一支持枠体４及び第二支持枠体５を固定し、前記重ね合せ部７の他方は面ファスナー等の着脱手段６で前記第一支持枠体４と第二支持枠体５とを着脱自在とし、前記把持用の貫通穴８を前記楕円環状体２の短軸方向Ｓの両側に形成した前記重ね合せ部７に設けている。
【００３４】
また、前記楕円環状体２は、図３や図４に示す半楕円状で略Ｕ字状の第一支持枠体４及び第二支持枠体５を組み合わせている。そして前記第一支持枠体４と第二支持枠体５とは、図２に示すように傷病者搬送補助具１全体の平面視として楕円環状体２となるように、前記第一支持枠体４及び第二支持枠体５のそれぞれの両端部が前記楕円環状体２の短軸方向Ｓの対向位置で上下方向に重ね合されている。前記第一支持枠体４及び第二支持枠体５が捩じれないように、図２（ａ）や（ｃ）に示すように一方の端部と他方の端部の重ね合せは、前記第一支持枠体４及び第二支持枠体５のどちらかを両端部ともに上側又は下側に配設して重ね合せる。
【００３５】
次に、前記第一支持枠体４及び第二支持枠体５の略Ｕ字状の両端部の重ね合せ部７は、重ね合せ部７の一方は、可能な限り突起部の高さが低いリベット等の締結手段３で前記第一支持枠体４及び第二支持枠体５を固定し、前記重ね合せ部７の他方は、着脱手段６で前記第一支持枠体４及び第二支持枠体５を着脱自在とする。
【００３６】
着脱手段６としては、図２（ａ）や図６（ａ）に示すように、第一支持枠体４及び第二支持枠体５に固設した面ファスナーで固定化させる構造、又は図５や図６（ｂ）に示すように第一支持枠体４又は第二支持枠体５の一方に固設した突起を有する構造体の突起部２２を、他方に固設した孔を有する構造体の孔２１に挿入させて前記第一支持枠体４及び第二支持枠体５を外側から開閉用挟着部２０で挟んで固定化させる構造がある。
【００３７】
まず、面ファスナーとしてはマジックテープ（登録商標）などがある。図６（ａ）に示すように第一支持枠体４と第二支持枠体５のそれぞれの対向面に面ファスナーを貼りつける。未接着時の図６（ａ）のように第一支持枠体４と第二支持枠体５とは離隔した状態から、第一支持枠体４と第二支持枠体５とを両方の外側から押すと図２（ｂ）に示すように第一支持枠体４と第二支持枠体５とを固定化する。これにより、第一支持枠体４と第二支持枠体５とが固着した重ね合わせ部７を握り部として使用者が握る。
【００３８】
次に、図５に示すように、第一支持枠体４と第二支持枠体５とを開閉用挟着部２０で挟んで固着する構造の場合は、図６（ｂ）に示すように、第一支持枠体４と第二支持枠体５とをスライド方向で位置ずれが生じないように、例えば第一支持枠体４側に垂下された突起部２２を突設し、前記突起部２２を第二支持枠体５に設けられた孔部２１に挿入させる。これにより、第一支持枠体４と第二支持枠体５とはスライド方向にしっかりと固着される。
【００３９】
次に、図５（ｂ）に示すような、縦方向断面がコ字型を形成する細長状の開閉用挟着部２０が開時の状態から、前記開閉用挟着部２０を旋回させて前記コ字状の上側の壁と下側の壁とで第一支持枠体４と第二支持枠体５が乖離しないようにしっかりと固定化させる。これにより、第一支持枠体４と第二支持枠体５とを固定化させた重ね合わせ部７を把持部として使用者が把持する。また、面ファスナーのみで固定化させる場合よりも耐久性を有する。
【００４０】
一方の端部を着脱自在とすることによって、傷病者Ｐの下に傷病者搬送補助具１を挿入させるときには、前記着脱部で第一支持枠体４と第二支持枠体５とを離隔させて、離隔させた一方の端部から傷病者の下に挿入すると極めて挿入が容易にできる。そして、一方の端部を傷病者Ｐの下をくぐって戻ってくるように挿入して、戻ってきたら第一支持枠体４と第二支持枠体５とを着脱手段６で固定化させる。これにより傷病者搬送補助具１が楕円環状体２を形成する。
【００４１】
次に、図３や図４に示すように、前記第一支持枠体４及び第二支持枠体５の前記重ね合せ部７には把持用の貫通穴８を設ける。把持用の貫通穴８の形体や大きさは、手の平が挿入でき、前記貫通穴８の外側の縁部を握ることができる大きさであればよい。例えば、図３や図４に示すように貫通穴８の四隅を円弧状に形成した長方形状の穴でもよい。
【００４２】
次に、請求項３に記載の傷病者搬送補助具１、１ｃは、図７乃至図１２に示すように、平面視で２枚の幅広の半楕円状で略Ｕ字状の第一支持枠体４及び第二支持枠体５のそれぞれの凹部を長軸方向で対向状態とし、かつ前記第一支持枠体４及び第二支持枠体５のそれぞれの両端部を上下方向で重ね合せた重ね合せ部７を２ケ所形成し、短軸方向の両側に形成した前記重ね合せ部７に把持用の貫通穴８を設けた前記楕円環状体２を備え、前記２か所の重ね合せ部７はそれぞれ締結手段３により固定状態とし、前記第一支持枠体４又は第二支持枠体５が一方の重ね合せ部７に該当する部位の第七支持片１５と他の部位の第八支持片１６とに分離されて、前記第七支持片１５の端部と第八支持片１６の端部との突合せ部に前記突合せ部を固定及び開放可能とする安全ベルト用ロック機構４０を設けている。図７では、第一支持枠体４が第七支持片１５の端部と第八支持片１６とに分離されている例を示している。
【００４３】
図７（ａ）又は図８に示すように、例えば、第一支持枠体４が上側で第二支持枠体５が下側に構成され、第一支持枠体４が重ね合せ部７を構成する第七支持片１５と、重ね合せ部７以外の部位となる第八支持片１６に分離されている。
【００４４】
そして、図８（ｂ）に示すように、第七支持片１５と第二支持枠体５の一部とからなる重ね合せ部７の端部に、安全ベルト用ロック機構４０のロック部４１がリベット等の締結手段３により固設され、第一支持枠体４の第八支持片１６の端部にベルト用ロック機構４０の爪部４２がリベット等の締結手段３により固設されている。ロック機構４０は、図９に示すようにロック部４１と爪部４２からなり、図８（ａ）に示すように前記爪部４２が前記ロック部４１に挿入されてロック状態となり、図８（ｂ）に示すように前記爪部４２が前記ロック部４１から離隔されてアンロック状態となる。ロック機構４０は安全ベルトにも使用するレベルの締結力を有するので、傷病者Ｐを搬送中などにおいてロック機能４０で確実に第一支持枠体４と第二支持枠体５とを固定化させることができる。
【００４５】
次に、請求項４に記載の傷病者搬送補助具１、１ｄは、図７、図１３乃至図１５に示すように、平面視で２枚の幅広の半楕円状で略Ｕ字状の第一支持枠体４及び第二支持枠体５のそれぞれの凹部を長軸方向で対向状態とし、かつ前記第一支持枠体４及び第二支持枠体５のそれぞれの両端部を上下方向で重ね合せた重ね合せ部７を２ケ所形成し、短軸方向の両側に形成した前記重ね合せ部７に把持用の貫通穴８を設けた前記楕円環状体２を備え、前記２か所の重ね合せ部７はそれぞれ締結手段３により固定状態とし、前記第一支持枠体４又は第二支持枠体５が一方の重ね合せ部７に該当する部位の第七支持片１５と、重ね合せ部を除く他の部位の第八支持片１６とに分離されて、前記第七支持片１５の端部と第八支持片１６の端部との突合せ部に前記突合せ部を固定及び開放可能とする掛止機構５０を設けている。第一支持枠体４が第七支持片１５の端部と第八支持片１６とに分離されている例を図７に示している。
【００４６】
前記掛止機構５０は、図１４及び図１５に示すように、掛止金具５１と掛止穴付金具５３から構成される。掛止金具５１は、図１３（ｂ）に示すように例えば第二支持枠体５と第七支持片１５との重ね合せ部７の端部にリベット等の締結手段３により固設され、掛止穴付金具５３は、図１３（ｂ）に示すように例えば第一支持枠体４の第八支持片１６の端部にリベット等の締結手段３により固設される。前記掛止金具５１は図１４（ｂ）や図１５（ｂ）に示すように掛止金具５１には折り曲げられた掛止用折り曲げ片５２が設けられており、図１４（ａ）や図１５（ａ）に示すように掛止穴付金具５３には掛止用折り曲げ片５２の幅より大きい寸法を有する掛止用穴片５４が設けられている。図１５に示すように、前記掛止用穴片５４に形成された穴に前記掛止用折り曲げ片５２を挿入させて掛止状態となる。掛止金具５１と掛止穴付金具５３の材質は、ステンレス等の剛性を有するものがよい。
【００４７】
掛止機構５０を掛止状態にすると、第一支持枠体４の第八支持片１６と、第二支持枠体５及び第七支持片１５とが重ね合った部位である重ね合せ部７とは、お互いに離隔しようとする力が加わっていることから、掛止機構５０は極めて開放しにくい状態となる。
【００４８】
また、図１０に示す円環状体２の内周縁部Ｉに、図７又は図８に示すように、図１１に示す内周縁カバー３１を貼設手段で取り付け、図１０に示す円環状体２の重ね合せ部７の貫通穴８の周縁部の外側に図１１に示す把持手カバー３２を貼設手段又は締結手段で取り付けている。図１１に示す内周縁カバー３１を取り付けることにより、第一支持枠体４や第二支持枠体５の内周縁部Ｉの角形状を覆うことにより内周縁部Ｉの角が丸くなって傷病者Ｐにひっかかり感や違和感を感じさせにくくし、図１２に示す把持手カバー３２が重ね合せ部７の第一支持枠体４や第二支持枠体５の貫通穴８の縁の角を覆うことにより、重ね合せ部７を含んだ把持部の厚みを厚くでき、貫通穴８の把持側の角のアールを大きくできることにより、傷病者Ｐを搬送するときに搬送する人の手に食い込みにくくなって搬送する人が手に痛みを感じにくくなる。すなわち、容易に掛止でき、掛止状態が維持でき、しかも掛止状態から開放しやすいという効果を奏する。
【００４９】
前記内周縁カバー３１及び前記把持手カバー３２の材質は、軽量化でき、重い体重の傷病者の搬送に使用しても破損しにくくするための強度、繰り返し長期間使用しても破損しにくくするための耐久性、及び傷病者Ｐの身体に沿って変形させるために弾性体であることを必要とするため、軽量、強度及び耐久性を有する弾性体の樹脂がよく、例えば、楕円環状体２と同じの材質のポリプロピレン樹脂、ポリエチレン樹脂、ナイロン６又はナイロン１２などがある。
【００５０】
次に、請求項６に記載の傷病者搬送補助具１は、図１６（ａ）に示すように、楕円環状体２は、前記楕円環状体２の短軸方向Ｓの中央部における長軸方向Ｌで、平面視で第一支持枠体４が第三支持枠体１０と第四支持枠体１１の２つに分割され、かつ第二支持枠体５が第五支持枠体１２と第六支持枠体１３の２つに分割されている。そして、前記第三支持枠体１０と第四支持枠体１１の両端部の突合せ部位に半開蝶番１４を配設し、前記第五支持枠体１２と第六支持枠体１３の両端部の突合せ部位に半開蝶番１４を配設している。
【００５１】
そして、図１６（ｂ）に示すように、前記半開蝶番１４で折り曲げることができるので傷病者搬送補助具１を約半分の大きさに小さくできる。これにより、収納時に小さくできるため収納スペースをとらないという効果を奏する。
【００５２】
次に、請求項４に記載した傷病者搬送補助具１ｄの使用方法を説明する。図１３（ａ）に示す傷病者搬送補助具１ｄの固定及び開放可能とする掛止機構５０が装着されている部位を開放し離隔させて、前記掛止機構５０を下側にして傷病者Ｐに接触しないようにして、掛止機構５０の掛止穴付金具５３が装着されている第一支持枠体５の第七支持片１５の端部を、手前側から寝た姿勢の傷病者Ｐの腰部Ｈの下に傷病者搬送補助具１ｄを旋回させながら挿入する。そして、挿入した第一支持枠体４の端部が傷病者Ｐの向こう側の腰部Ｈから出て大腿部Ｔの下に再挿入されて、その後に手前側の傷病者の大腿部Ｔの下から出てきたら、第二支持枠体５の端部に配設した掛止機構５０の掛止金具５１の傾斜状態の掛止用折り曲げ片５２に、前記掛止穴付金具５３の掛止用穴片５４を引掛ける。掛止金具５１を固定した第二支持枠体５と、掛止穴付金具５３を固定した第七支持片１５は、第一支持枠体４と第二支持枠体５とが楕円環状体２自体として互いに離反する方向に力が働くので掛止機構５０はしっかりとした掛止状態となり容易には開放しない状態となる。
【００５３】
このときの状態は、図１７に示すように、傷病者搬送補助具１ｄの中央部の穴部９に傷病者Ｐの臀部Ｄが嵌入状態となり、傷病者搬送補助具１ｄの楕円環状体２の長軸方向Ｌの端部の一方が傷病者Ｐの腰部Ｈの下を支え、前記楕円環状体２の長軸方向Ｌの端部の他方が傷病者の大腿部Ｔの下を支え、前記楕円環状体２の短軸方向Ｓの両端部が傷病者Ｐの左右方向の外側に現れた状態となる。
【００５４】
そして、２名の搬送者が傷病者Ｐの左右にいて、それぞれが近傍の貫通穴８からなる把持部を手で握って前記傷病者搬送補助具１ｄを持ち上げ傷病者Ｐを搬送する。
【符号の説明】
【００５５】
１            傷病者搬送補助具
１ａ          傷病者搬送補助具
１ｂ          傷病者搬送補助具
１ｃ          傷病者搬送補助具
１ｄ          傷病者搬送補助具
２            楕円環状体
３            締結手段
４            第一支持枠体
５            第二支持枠体
６            着脱手段
７            重ね合せ部
８            貫通穴
９            穴部
１０          第三支持枠体
１１          第四支持枠体
１２          第五支持片
１３          第六支持片
１４          半開蝶番
１５          第七支持片
１６          第八支持片
２０          開閉用挟着部
２１          孔部
２２          突起部
３１          内周縁カバー
３２          把持手用カバー
４０          ロック機構
４１          ロック部
４２          爪部
５０          掛止機構
５１          掛止金具
５２          掛止用折り曲げ片
５３          掛止穴付金具
５４          掛止用穴片
Ｌ            長軸方向
Ｓ            短軸方向
Ｏ            外周縁部
Ｉ            内周縁部
Ｐ            傷病者
Ｄ            臀部
Ｈ            腰部
Ｔ            大腿部
【図１】
0003204318.tif 000003
【図２】
0003204318.tif 000004
【図３】
0003204318.tif 000005
【図４】
0003204318.tif 000006
【図５】
0003204318.tif 000007
【図６】
0003204318.tif 000008
【図７】
0003204318.tif 000009
【図８】
0003204318.tif 000010
【図９】
0003204318.tif 000011
【図１０】
0003204318.tif 000012
【図１１】
0003204318.tif 000013
【図１２】
0003204318.tif 000014
【図１３】
0003204318.tif 000015
【図１４】
0003204318.tif 000016
【図１５】
0003204318.tif 000017
【図１６】
0003204318.tif 000018
【図１７】
0003204318.tif 000019